(57)【要約】【課題】紙葉類の蛍光発光パターンを検出するために受光部の前面に配置した光学フィルタの汚れによる当該蛍光発光パターンの検出精度の低下が抑えられる光学センサを提供する。【解決手段】紙幣識別ユニット２０は、検出部２４が発光部２２の第２の発光体２２Ｂを発光させ、第２の波長の光を照射する（Ｓ１１）。検出部２４は、第２の発光体２２Ｂに供給する電力を調整し、受光部２３の出力が記憶部２６に記憶している基準値になる電力Ｐ１を検出する（Ｓ１２）。検出部２４は、Ｓ１２で検出した電力Ｐ１、および記憶部２６に記憶している相関関数Ｆに基づき、第１の発光体２２Ａの発光量が、紙幣の蛍光発光パターンの検出が適正に行える発光量になるときの、供給電力Ｐ２を補正値として算出する（Ｓ１３）。紙幣識別ユニット２０は、この記憶部２６に記憶している補正値に基づき、第１の発光体２２Ａに供給する電力を制御する。【選択図】図７
2011133956.tif 000002
【特許請求の範囲】
【請求項１】
搬送路に沿って搬送されている紙葉類について、その紙葉類が有する蛍光物質による蛍光発光パターンを検出する光学センサにおいて、
前記搬送路を挟んで対向させて配置した発光部と、受光部と、を備え、
前記発光部は、前記蛍光物質を励起して発光させる第１の波長の光を照射する第１の発光体と、前記第１の波長とは異なる第２の波長の光を照射する第２の発光体と、を有し、
前記受光部と、前記搬送路との間に配置し、前記第１の波長の光をカットする光学フィルタと、
前記発光部と、前記受光部と、の間に紙葉類が位置していないときに、前記第２の発光体が照射した第２の波長の光にかかる、前記受光部の検出値に基づいて、補正値を算出する補正値算出部と、
前記補正値算出部が算出した補正値に基づき、前記第１の発光体が第１の波長の光を前記搬送路に沿って搬送している紙葉類に照射し、当該紙葉類に混入されている蛍光物質による発光パターンを前記受光部で検出する検出部と、を備えた光学センサ。
【請求項２】
前記光学フィルタは、前記第２の波長の光、および前記蛍光物質の発光波長の光を透過する、請求項１に記載の光学センサ。
【請求項３】
前記検出部は、前記補正値算出部が算出した補正値に基づき、前記第１の発光体の発光量を制御する、請求項１、または２に記載の光学センサ。
【請求項４】
前記検出部は、前記補正値算出部が算出した補正値に基づき、前記受光部の出力を補正する、請求項１、または２に記載の光学センサ。
【請求項５】
搬送路に沿って搬送されている紙葉類について、その紙葉類が有する蛍光物質による蛍光発光パターンを検出する光学センサと、
前記光学センサが検出した紙葉類の蛍光発光パターンに基づき、当該紙葉類を識別する識別部と、を備えた識別ユニットにおいて、
前記光学センサは、
前記搬送路を挟んで対向させて配置した発光部と、受光部と、を備え、
前記発光部は、前記蛍光物質を励起して発光させる第１の波長の光を照射する第１の発光体と、前記第１の波長とは異なる第２の波長の光を照射する第２の発光体と、を有し、
前記受光部と、前記搬送路との間に配置し、前記第１の波長の光をカットする光学フィルタと、
前記発光部と、前記受光部と、の間に紙葉類が位置していないときに、前記第２の発光体が照射した第２の波長の光にかかる、前記受光部の検出値に基づいて、補正値を算出する補正値算出部と、
前記補正値算出部が算出した補正値に基づき、前記第１の発光体が第１の波長の光を前記搬送路に沿って搬送している紙葉類に照射し、当該紙葉類に混入されている蛍光物質による発光パターンを前記受光部で検出する検出部と、を備えている、
識別ユニット。
【発明の詳細な説明】
【技術分野】
【０００１】
この発明は、紙葉類が有する蛍光物質による蛍光発光パターンを検出する光学センサ、および、この光学センサを適用し、検出した蛍光パターンに基づき、その真偽を識別する識別ユニットに関する。
【背景技術】
【０００２】
従来、紙幣、小切手、証券等の紙葉類を処理する自動機がある。この種の自動機は、処理する紙葉類の真偽を識別する識別ユニットを備えている。この種の自動機としては、例えば銀行等の金融機関が店舗に設置している現金自動預け払い機（以下、ＡＴＭと言う。）がある。
【０００３】
紙幣は、特定の波長の光（以下、励起光と言う。）を照射したときに発光（以下、蛍光発光と言う。）するインク（蛍光物質を含んでいるインク）を用いて偽造防止用のパターンを印刷することが行われている。また、用紙については、それ自体に蛍光物質を含まないものを使用している。したがって、紙幣の真偽を識別する場合、その識別対象の紙幣の蛍光発光にかかる蛍光発光パターンを検出し、この蛍光発光パターンに基づき、その真偽を識別することができる。
【０００４】
蛍光発光パターンを検出し、紙幣の真偽を識別する識別ユニットとしては、例えば特許文献１に記載されたものがある。この特許文献１に記載された識別ユニットは、紙幣に対して励起光を照射し、紙幣で反射された励起光を受光する第１の受光部、および紙幣の蛍光発光にともなう二次光を受光する第２の受光部を有する。第２の受光部の前面には、紙幣の蛍光発光にかかる二次光の波長のみ通過させる光学フィルタが配置されている。この識別ユニットは、第１の受光部で、紙幣の反射光パターンを検出し、第２の受光部で、その紙幣の蛍光発光パターンを検出する。そして、検出した反射光パターン、および蛍光発光パターンに基づき、その紙幣の真偽を識別している。
【０００５】
また、この識別ユニットは、紙幣を搬送する搬送路を挟んで、励起光を発光する発光部に対向して反射板を配置している。識別ユニットは、紙幣が位置していないときに、発光部から反射板に照射した光の反射光を第１の受光部で検出し、この検出出力が予め定めた基準値になるように、発光部の発光量を調整する制御を行う。この制御は、経年変化等による発光部の光量変化が与える、紙幣の識別精度の低下を抑えるために行っている。
【０００６】
また、紙幣の透過光パターンを検出し、この透過光パターンに基づき、その紙幣の真偽を識別する識別ユニットが特許文献２に記載されている。この識別ユニットは、発光部と、受光部と、を搬送路を挟んで対向させて配置している。この識別ユニットは、受光部で紙幣の透過光パターンを検出し、この透過光パターンに基づき、その紙幣の真偽を識別している。また、この識別ユニットも、経年変化等による発光部の光量変化が与える、紙幣の識別精度の低下を抑えるために、発光部と受光部との間に紙幣が位置していない状態における受光部の検出出力が、予め記憶している調整基準値になるように、発光部の発光量を調整する制御を行う構成である。
【先行技術文献】
【特許文献】
【０００７】
【特許文献１】特開２００３−  ６７８０５号公報
【特許文献２】特開２００１−１９５６２９号公報
【発明の概要】
【発明が解決しようとする課題】
【０００８】
しかしながら、紙幣等の紙葉類の蛍光発光パターンを検出し、その真偽を識別する識別ユニットは、特許文献１にも記載されているように、紙葉類の蛍光発光にかかる二次光近辺の波長の光のみを通過させる光学フィルタを、この蛍光発光パターンを検出する受光部の前面に配置している。特許文献１は、紙幣からの反射光を検出する受光部を用いて、発光部の発光量を調整基準値に設定しているだけである。すなわち、特許文献１は、光学フィルタの汚れ等にともなう検出光の減衰ついては考慮していない。
【０００９】
したがって、特許文献１で提案されている構成では、光学フィルタの汚れにともなって、紙葉類の蛍光発光パターンを検出する受光部で受光される光量が低下し、蛍光発光パターンの検出精度が低下するという問題があった。
【００１０】
なお、特許文献２は、上述したように、紙葉類の蛍光発光パターンを検出しない構成であるため、受光部の前面に光学フィルタを配置していない。
【００１１】
この発明の目的は、紙葉類の蛍光発光パターンを検出する受光部の前面に配置した光学フィルタの汚れによる当該蛍光発光パターンの検出精度の低下が抑えられる光学センサ、および、この光学センサを適用した識別ユニットを提供することにある。
【課題を解決するための手段】
【００１２】
この発明の光学センサは、上述の目的を達成するために、以下のように構成している。
【００１３】
この光学センサは、搬送路に沿って搬送されている紙葉類について、その紙葉類が有する蛍光物質による蛍光発光パターンを検出する。紙幣、小切手、証券等の紙葉類は、特定の波長の光（以下、励起光と言う。）を照射したときに発光（以下、蛍光発光と言う。）するインクを用いて偽造防止用のパターンを印刷することが一般に行われている。また、用紙については、蛍光発光しないもの（蛍光物質を含まないもの）を使用している。
【００１４】
発光部と、受光部とは、紙葉類を搬送する搬送路を挟んで対向させて配置している。この発光部は、蛍光物質を励起して発光させる第１の波長の光（すなわち、励起光）を照射する第１の発光体と、この第１の波長とは異なる第２の波長の光を照射する第２の発光体と、を有している。
【００１５】
また、光学フィルタを、受光部と、搬送路との間に配置している。この光学フィルタは、発光部が照射する第１の波長の光をカットする。光学フィルタは、発光部が照射する第２の波長の光、および紙葉類が有する蛍光物質が蛍光発光した光（以下、二次光と言う。）を通過させる特性のものが好ましい。言い換えれば、発光部が照射する第２の波長の光は、二次光に近い波長の光とし、光学フィルタは通過する波長域を二次光の波長周辺とすればよい。
【００１６】
補正値算出部は、発光部と、受光部と、の間に紙葉類が位置していないときに、第２の発光体が照射した第２の波長の光にかかる、受光部の検出値に基づいて、補正値を算出する。したがって、受光部の前面に配置した光学フィルタの汚れを考慮した補正値を算出することができる。検出部は、補正値算出部が算出した補正値を用いて、第１の発光体が第１の波長の光を搬送路に沿って搬送している紙葉類に照射し、当該紙葉類に混入されている蛍光物質による発光パターンを受光部で検出する。
【００１７】
検出部は、補正値算出部が算出した補正値を用いて、第１の発光体の発光量を制御する構成としてもよいし、受光部の出力を制御する構成としてもよい。例えば、第１の発光体の発光量を制御する場合は、第１の発光体に供給する電力を決定する補正値を算出すればよい。また、受光部の出力を制御する場合は、受光部の出力を増幅する増幅率を決定する補正値を算出すればよい。
【００１８】
したがって、受光部の前面に配置したフィルタの汚れに影響されることなく、受光部の受光光量を適正に保つことができる。これにより、紙葉類の蛍光発光パターンを検出するために受光部の前面に配置した光学フィルタの汚れによる当該蛍光発光パターンの検出精度の低下が抑えられる。
【００１９】
また、経年変化による、受光部の感度の劣化にも対応できる。
【００２０】
また、この光学センサを用い、この光学センサによって得られた紙葉類の蛍光発光パターンに基づき紙葉類を識別することで、十分な識別精度を確保することができる。
【発明の効果】
【００２１】
この発明によれば、紙葉類の蛍光発光パターンを検出するために受光部の前面に配置した光学フィルタの汚れによる当該蛍光発光パターンの検出精度の低下が抑えられる。
【００２２】
また、紙葉類に対する識別精度を十分に確保することができる。
【図面の簡単な説明】
【００２３】
【図１】ＡＴＭの外観を示す概略図である。
【図２】ＡＴＭの主要部の構成を示すブロック図である。
【図３】紙幣処理部の内部構成を示す概略図である。
【図４】紙幣識別ユニットの主要部の構成を示すブロック図である。
【図５】紙幣搬送路における、発光部と受光部との配置を示す図である。
【図６】紙幣識別処理を示すフローチャートである。
【図７】補正処理を示すフローチャートである。
【図８】第１の発光体の発光量と、第２の発光体の発光量と、の相関関係を示す図である。
【発明を実施するための形態】
【００２４】
以下、この発明の実施形態について説明する。
【００２５】
ここでは、この発明の実施形態にかかる識別ユニットを適用した現金自動預け払い機（以下、ＡＴＭと言う。）を例にして説明する。また、この識別ユニットには、この発明の実施形態にかかる光学センサが適用されている。
【００２６】
図１は、ＡＴＭの外観を示す概略図であり、図２は、ＡＴＭの主要部の構成を示すブロック図である。ＡＴＭ１は、金融機関の店舗やコンビニエンスストア等に設置される。ＡＴＭ１は、利用者の入力操作に応じて、入金取引や出金取引等の各種取引を処理する。ＡＴＭ１は、主制御部２と、表示・操作部３と、紙幣処理部４と、硬貨処理部５と、カード・明細書処理部６と、通帳処理部７と、生体情報読取部８と、通信部９と、を備えている。主制御部２は、ＡＴＭ１本体各部の動作を制御し、利用者が要求した取引を処理する。
【００２７】
表示・操作部３は、本体正面に設けた表示器３Ａ、およびこの表示器３Ａの画面上に貼付したタッチパネル３Ｂ等を有している。表示・操作部３は、利用者に対する操作案内画面を表示器３Ａに表示する。また、表示・操作部３は、タッチパネル３Ｂの押下位置を検知することにより、暗証番号や取引内容（取引種別、入出金金額等）にかかる利用者の入力操作を検出する。
【００２８】
紙幣処理部４は、入出金紙幣を処理する。本体正面には、入出金紙幣を収納する紙幣入出金口４Ａを設けている。この紙幣入出金口４Ａには、シャッタが設けられている。また、紙幣入出金口４Ａには、入金紙幣、出金紙幣、および返却紙幣の収納場所を区別する仕切り板が設けられている。紙幣処理部４は、このシャッタの開閉により、紙幣入出金口４Ａに対する紙幣の投入や取り出しを制限する。紙幣処理部４の詳細な構成については、後述する。
【００２９】
硬貨処理部５は、本体正面に設けた硬貨入出金口５Ａと、本体内部に収納されている硬貨カートリッジと、の間に形成された硬貨搬送路に沿って硬貨を搬送する。また、硬貨処理部５は、硬貨搬送路に沿って搬送している硬貨毎に、金種、および真偽を識別する硬貨識別部を有している。
【００３０】
カード・明細書処理部６は、本体正面に設けたカード挿入口６Ａに挿入されたキャッシュカード（以下、単にカードと言う。）を取り込み、このカードの磁気ストライプに記録されているカード情報（金融機関番号、店舗番号、口座番号等）の読み取りや、カード情報の書き換え等を行う。また、挿入されたカードがＩＣカードである場合には、必要に応じて、そのカードのＩＣチップに記録されているデータの読み取りや、書き換えも行う。ＩＣチップには、このカードの所有者である利用者の生体情報（登録情報）等が記録されている。さらに、カード・明細書処理部６は、取引内容を明細書に印字する印字部（不図示）を有する。カード・明細書処理部６は、取引内容を印字した明細書を本体正面に設けた明細書放出口６Ｂに放出する。
【００３１】
通帳処理部７は、本体正面に設けた通帳挿入口７Ａに挿入された通帳を取り込み、この通帳に対して取引履歴を印字する印字部（不図示）を有している。また、通帳処理部７は、取り込んだ通帳のページを捲るページ捲り機構や、通帳に印刷されているページ番号を示すバーコードを読み取るバーコードリーダ、通帳に貼付されている磁気ストライプに記録されている通帳情報（金融機関番号、店舗番号、口座番号等）を読み取る磁気ヘッド等も有している。
【００３２】
また、生体情報読取部８は、本体正面に設けた生体情報読取センサ８Ａを有している。この生体情報読取センサ８Ａは、利用者の指静脈パターンを読み取る。ここでは、生体情報読取センサ８Ａとして、指静脈パターンを読み取るセンサを例にしているが、掌静脈、虹彩、網膜等の他の種類の生体情報を読み取るセンサとしてもよい。生体情報読取部８は、生体情報読取センサ８Ａで読み取った利用者の生体情報（読取情報）と、カードのＩＣチップに記録されている生体情報（登録情報）と、を照合し、その類似度から利用者とカードの所有者とが同一人物であるかどうかを認証する。さらに、通信部９は、ネットワークを介して、金融機関のホスト装置（不図示）との通信を制御する。
【００３３】
次に、紙幣処理部４の構成について説明する。図３は、紙幣処理部の内部構成を示す概略図である。紙幣処理部４は、金種別カートリッジ１１〜１４と、回収カートリッジ１５とを内部に収納している。金種別カートリッジ１１〜１４、および回収カートリッジ１５は、本体に対して着脱自在である。金種別カートリッジ１１、１２は、１万円紙幣を収納する。金種別カートリッジ１３は、千円紙幣を収納する。金種別カートリッジ１４は、２千円紙幣、および５千円紙幣を収納する。回収カートリッジ１５は、取引に使用できないと判断した紙幣を収納する。金種別カートリッジ１４に収納している紙幣（２千円紙幣、および５千円紙幣）、および回収カートリッジ１５に収納している紙幣は出金紙幣として利用しない。このため、金種別カートリッジ１４、および回収カートリッジ１５については、紙幣の繰り出し機構を有していない構成であってもよい。
【００３４】
また、紙幣処理部４は、入金紙幣等を一時的に収納し、保留する一時保留部１６を有している。さらに、入出金口４Ａ、金種別カートリッジ１１〜１４、回収カートリッジ１５、一時保留部１６を結ぶ紙幣搬送路１７を有している。紙幣処理部４は、この紙幣搬送路１７に沿って、紙幣を搬送する紙幣搬送部（不図示）を有している。また、紙幣搬送部は、紙幣搬送路１７の分岐点等に設けられているフラッパを制御し、搬送している紙幣の搬送先を制御する。さらに、紙幣処理部４は、紙幣搬送路１７に沿って搬送されている紙幣の金種、および真偽を識別する紙幣識別ユニット２０を有している。紙幣識別ユニット２０は、紙幣搬送路１７に沿って搬送されている紙幣毎に、その真偽を識別する。
【００３５】
図４は、紙幣識別ユニットの主要部の構成を示すブロック図である。紙幣識別ユニット２０は、制御部２１と、発光部２２と、受光部２３と、検出部２４と、識別部２５と、記憶部２６と、入出力部２７と、を備えている。この紙幣識別ユニット２０は、紙幣が有する蛍光物質による蛍光発光パターンを検出し、この蛍光発光パターンに基づき紙幣の真偽を識別する。制御部２１は、紙幣識別ユニット２０の各部の動作を制御する。
【００３６】
発光部２２と、受光部２３とは、図５に示すように、紙幣搬送路１７を挟んで対向させて配置している。発光部２２は、第１の波長の光を照射する第１の発光体２２Ａ、および第２の波長の光を照射する第２の発光体２２Ｂを有する。発光部２２は、例えば２波長ＬＤや２波長ＬＥＤである。第１の発光体２２Ａが照射する光の波長（第１の波長）は、真偽を識別する対象の紙幣の偽造防止用のパターンの印刷に用いたインクが有する蛍光物質を発光（以下、蛍光発光と言う。）させる波長である。また、第２の発光体２２Ｂが照射する光の波長（第２の波長）は、識別対象の紙幣の蛍光発光にかかる光（以下、二次光と言う。）の波長と、略同じ波長である。
【００３７】
また、受光部２３は、フォトダイオードである。受光部２３の前面には、光学フィルタ２３Ａを配置している。この光学フィルタ２３Ａは、通過する光の波長域が二次光の周辺波長であり、その他の波長の光をカットする。
【００３８】
なお、上述の第１の発光体２２Ａが照射する光は、この光学フィルタ２３Ａでカットされる。また、上述の第２の発光体２２Ｂが照射する光は、この光学フィルタ２３Ａでカットされることなく、通過する。
【００３９】
検出部２４は、発光部２２における第１の発光体２２Ａ、第２の発光体２２Ｂの発光量を個別に制御する。具体的には、第１の発光体２２Ａ、および第２の発光体２２Ｂに対する供給電力を個別に制御する。また、検出部２４は、受光部２３の出力を処理して紙幣の蛍光発光パターンを検出する。
【００４０】
識別部２５は、検出部２４が検出した蛍光発光パターンに基づき、その紙幣の真偽を識別する。記憶部２６は、この紙幣識別ユニット２０の動作制御に用いるパラメータ等を記憶する。入出力部２７は、識別部２５における識別結果を紙幣処理部４に通知する。
【００４１】
次に、この実施形態にかかるＡＴＭ１の全体動作について簡単に説明してする。ここではＡＴＭ１における入金取引、および出金取引の処理手順について簡単に説明する。
【００４２】
入金取引では、ＡＴＭ１は、入出金口４Ａに投入された入金紙幣を、１枚ずつ紙幣搬送路１７に繰り出し、紙幣識別ユニット２０で金種、および真偽を識別する。紙幣処理部４は、その金種、および真券であることが識別された入金紙幣を、一時保留部１６に搬送し、収納する。一方、紙幣処理部４は、金種、または、真券であることの少なくとも一方が識別できなかった紙幣を入出金口４Ａに戻し、利用者に返却する。ＡＴＭ１は、利用者により、入金金額が確定されると、確定された入金金額を利用者の口座（指定された口座）に入金する入金処理を行う。この入金処理は、利用者の口座番号や入金金額をホスト装置に通知する処理である。また、カード・明細書処理部６で取引内容を印字した明細票の発行、または、通帳処理部７で今回受け付けた通帳への取引内容の印字を行う。
【００４３】
紙幣処理部４は、その後、一時保留部１６に保留している紙幣を１枚ずつ繰り出し、再度、紙幣識別ユニット２０で金種、および真偽を識別する。紙幣処理部４は、紙幣毎に、その紙幣について識別した金種のカートリッジに搬送し、収納する。紙幣処理部４は、金種、または、真券であることの少なくとも一方が識別できなかった紙幣を回収カートリッジ１５に搬送し、収納する。
【００４４】
また、出金取引では、ＡＴＭ１は、指定された出金金額に応じて、金種毎に出金する紙幣の枚数を確定する。紙幣処理部４は、金種毎に、金種別カートリッジ１１〜１３から確定した枚数の紙幣を繰り出し、紙幣識別ユニット２０で金種、および真偽を識別する。紙幣処理部４は、金種、および真券であることが識別できた紙幣を、入出金口４Ａに搬送し、収納する。一方、金種、または、真券であることの少なくとも一方が識別できなかった紙幣を回収カートリッジ１５に搬送し、収納する。また、紙幣を回収カートリッジ１５に収納する毎に、その紙幣を繰り出した金種別カートリッジ１１〜１３から、新たに紙幣を１枚繰り出す。
【００４５】
ＡＴＭ１は、出金金額に応じた紙幣を入出金口４Ａに収納すると、出金金額を利用者の口座（指定された口座）から出金する出金処理を行う。この出金処理は、利用者の口座番号や出金金額をホスト装置に通知する処理である。ＡＴＭ１は、入出金口４Ａに設けたシャッタを開し、この入出金口４Ａ内に収納している紙幣を、利用者に対して放出する。また、カード・明細書処理部６で取引内容を印字した明細票の発行、または、通帳処理部７で今回受け付けた通帳への取引内容の印字を行う。
【００４６】
ここで、紙幣識別ユニット２０における、紙幣の識別処理について説明する。この紙幣識別ユニット２０は、上述したように、紙幣が有する蛍光発光パターンを検出し、検出した蛍光発光パターンに基づき、その紙幣の真偽を識別する。
【００４７】
図６は、紙幣識別処理を示すフローチャートである。紙幣識別ユニット２０は、検出部２４が発光部２２の第１の発光体２２Ａを発光させ、第１の波長の光を照射する（Ｓ１）。紙幣識別ユニット２０は、このとき、第２の発光体２２Ｂを発光させない。また、検出部２４は、このとき、第１の発光体２２Ａの発光量を、後述する補正処理で算出した補正値に基づいて制御する。これにより、第１の波長の光が、紙幣搬送路１７に沿って搬送されている紙幣に照射される。この第１の波長の光は、上述したように、偽造防止用のパターンの印刷に用いたインクが有する蛍光物質を蛍光発光させる励起光である。
【００４８】
紙幣識別ユニット２０は、受光部２３における光の受光パターンを検出部２４で検出する（Ｓ２）。第１の発光体２２Ａから照射された光は、光学フィルタ２３Ａによりカットされる。したがって、受光部２３は、第１の発光体２２Ａから照射された光を殆ど受光しない。一方、この第１の発光体２２Ａから照射された光によって、紙幣が有する蛍光物質が蛍光発光する。この蛍光発光にかかる二次光は、光学フィルタ２３Ａでカットされることなく、受光部２３で受光される。すなわち、検出部２４は、紙幣が有する蛍光物質による蛍光発光パターンを検出する。
【００４９】
紙幣識別ユニット２０は、識別部２５において、金種毎に記憶している蛍光発光パターンのテンプレートと、今回検出部２４で検出した紙幣の蛍光発光パターンと、を照合し、その金種、および真偽を識別する（Ｓ３）。
【００５０】
なお、各金種の紙幣にかかる蛍光発光パターンのテンプレートは、記憶部２６に記憶している。また、金種の識別は、その紙幣の画像を撮像し、その撮像画像により識別してもよい。さらに、紙幣の真偽にかかる識別については、上述した蛍光発光パターンだけでなく、公知の反射光パターンや透過光パターンによる識別を組み合わせ、総合的に判断してもよい。
【００５１】
紙幣識別ユニット２０は、紙幣処理部４に識別結果を通知する（Ｓ４）。紙幣処理部４は、紙幣識別ユニット２０から通知された識別結果に基づいて、その紙幣の搬送先を決定する。紙幣搬送部が、当該紙幣を、ここで決定した搬送先に搬送する。
【００５２】
この紙幣識別ユニット２０は、受光部２３の前面に配置した光学フィルタ２３Ａの汚れ等による紙幣の蛍光発光パターンの検出精度の低下を抑えるために、以下の補正処理を行う。図７は、この補正処理を示すフローチャートである。発光部２２が有する第１の発光体２２Ａの発光量と、第２の発光体２２Ｂの発光量と、の間には、図８に示す相関関係がある。図８は、第１の発光体２２Ａ、および第２の発光体２２Ｂに供給する電力を共通のパラメータとし、そのときの発光量関係を示した図である。例えば、第１の発光体２２Ａおよび第２の発光体２２Ｂに供給している電力の大きさが「ＰＷ１」であるとき、第１の発光体２２Ａの発光量はＰＡ１であり、第２の発光体２２Ｂの発光量がＰＢ１である。
【００５３】
紙幣識別ユニット２０は、図８に示す相関関係を示す相関関数Ｆを記憶部２６に記憶している。また、紙幣の蛍光発光パターンの検出が適正に行える、受光部２３の出力の基準値を記憶部２６に記憶している。
【００５４】
図７に示す補正処理は、入出金取引にかかる紙幣の識別の開始に先立って実行してもよいし、適当なタイミング（処理した紙幣の枚数が所定枚数に達したタイミングや、前回の実行から所定時間経過したタイミング等）で実行してもよい。この補正処理は、発光部２２と、受光部２３との間に紙幣が位置していない状態で行う。
【００５５】
紙幣識別ユニット２０は、検出部２４が発光部２２の第２の発光体２２Ｂを発光させ、第２の波長の光を照射する（Ｓ１１）。紙幣識別ユニット２０は、このとき、第１の発光体２２Ａを発光させない。第２の発光体２２Ｂから照射される第２の波長の光は、光学フィルタ２３Ａを通過し、受光部２３で受光される。
【００５６】
検出部２４は、第２の発光体２２Ｂに対する供給電力を調整し、受光部２３の出力が記憶部２６に記憶している基準値になるときの、供給電力ＰＷＢを検出する（Ｓ１２）。すなわち、Ｓ１２では、光学フィルタ２３Ａの汚れや、経年変化による受光部２３の感度の劣化に影響されることなく、受光部２３において記憶部２６に記憶している基準値の出力が得られるときの、第２の発光体２２Ｂに対する供給電力を検出している。
【００５７】
検出部２４は、Ｓ１２で検出した供給電力ＰＷＢに基づき、補正値を算出する（Ｓ１３）。Ｓ１３で算出する補正値は、紙幣の識別時に、第１の発光体２２Ａに供給する供給電力ＰＷＡである。例えば、記憶部２６に記憶している基準値を、図８に示した相関関係に基づき、
ＰＷＡ＝ＰＷＢ
になるように設定している場合には、Ｓ１２で検出した供給電力ＰＷＢを補正値とすればよい。
【００５８】
また、記憶部２６に記憶している基準値を、受光部２３の出力の基準値として設定している場合には、図８に示した相関関係を示す相関関数Ｆと、Ｓ１２で検出した供給電力ＰＷＢに基づき、第１の発光体２２Ａに供給する供給電力ＰＷＡを算出し、これを補正値とすればよい。
【００５９】
紙幣識別ユニット２０は、Ｓ１３で算出した補正値を記憶部２６に記憶し（Ｓ１４）、本処理を終了する。
【００６０】
紙幣識別ユニット２０は、上述した紙幣識別処理においては、この記憶部２６に記憶している補正値に基づき、第１の発光体２２Ａに対する供給電力を制御する。したがって、紙幣識別ユニット２０は、光学フィルタ２３Ａの汚れや、経年変化による受光部２３の感度の劣化に影響されることなく、識別対象の紙幣に対する蛍光発光パターンの検出が行える。これにより、紙幣の識別精度の低下が抑えられ、信頼性の向上を図ることができる。
【００６１】
また、上記の説明では、Ｓ１２で、検出部２４が、第２の発光体２２Ｂに対する供給電力を調整し、受光部２３の出力が記憶部２６に記憶している基準値になるときの、供給電力ＰＷＢを検出するとしたが、第２の発光体２２Ｂに対する供給電力を予め定めた大きさにし、そのときの受光部２３の出力を、適正な値（基準値）にする増幅率ＺＢを算出する処理としてもよい。
【００６２】
そして、検出部２４が、ここで算出した増幅率ＺＢに基づき、補正値を算出する。ここで算出する補正値は、紙幣の識別時に、受光部２３の出力を増幅する増幅率ＺＡである。この増幅率ＺＡについても、図８に示した相関関係に基づき、
ＺＡ＝ＺＢ
になるように、基準値を設定しておいてもよい。
【００６３】
なお、この基準値を、受光部２３の出力の基準値として設定している場合には、図８に示した相関関係を示す相関関数Ｆと、今回算出した増幅率ＺＢに基づき、増幅率ＺＡを算出し、これを補正値とすればよい。
【００６４】
この場合も、紙幣識別ユニット２０は、光学フィルタ２３Ａの汚れや、経年変化による受光部２３の感度の劣化に影響されることなく、識別対象の紙幣に対する蛍光発光パターンの検出が行える。これにより、紙幣の識別精度の低下が抑えられ、信頼性の向上を図ることができる。
【００６５】
なお、上記の説明では、本願発明をＡＴＭに適用した場合を例にして説明したが、ＡＴＭ以外の装置であっても適用可能である。
【符号の説明】
【００６６】
１…ＡＴＭ
２０…紙幣識別ユニット
２１…制御部
２２…発光部
２２Ａ…第１の発光体
２２Ｂ…第２の発光体
２３…受光部
２３Ａ…光学フィルタ
２４…検出部
２５…識別部
２６…記憶部
２７…入出力部
【図１】
2011133956.tif 000003
【図２】
2011133956.tif 000004
【図３】
2011133956.tif 000005
【図４】
2011133956.tif 000006
【図５】
2011133956.tif 000007
【図６】
2011133956.tif 000008
【図７】
2011133956.tif 000009
【図８】
2011133956.tif 000010